(57)【要約】【課題】薄形化できる照明装置を提供する。【解決手段】照明装置10は、器具本体14、導光板27および発光素子37を備える。器具本体14は、アダプタ13によって引掛シーリングボディ12に取り付けられる。導光板27は、器具本体14の前面側に配置され、少なくともアダプタ13に対向する領域の厚みが他の領域より薄く形成されている。発光素子37は、導光板27に光を入射する。【選択図】図１
2014216292.tif 000002
【特許請求の範囲】
【請求項１】
アダプタによって引掛シーリングボディに取り付けられる器具本体と；
器具本体の前面側に配置され、少なくともアダプタに対向する領域の厚みが他の領域より薄く形成された導光板と；
導光板に光を入射する発光素子と；
を具備していることを特徴とする照明装置。
【請求項２】
導光板は、発光素子からの光が入射する入射面を有し、入射面の部分の厚みが最も厚く形成されている
ことを特徴とする請求項１記載の照明装置。
【請求項３】
導光板は、アダプタに対向する面に窪み部を有し、窪み部の周辺部が傾斜面に形成されている
ことを特徴とする請求項１または２記載の照明装置。
【発明の詳細な説明】
【技術分野】
【０００１】
本発明の実施形態は、導光板を用いた照明装置に関する。
【背景技術】
【０００２】
従来、照明装置として、器具本体の前面側に平板状の導光板を配置し、発光素子の光を導光板の端面から入射させてこの導光板の前面から光を出射させるようにしたシーリングライトがある。
【０００３】
一般住宅照明用として用いられる照明装置では、天井面に設置された配線器具である引掛けシーリングボディにアダプタが電気的かつ機械的に接続され、このアダプタに器具本体が取り付けられる。アダプタを含む器具本体の前面側（下面側）の略全体を導光板で覆うようにした場合、アダプタと導光板とが高さ方向に重なることになる。
【先行技術文献】
【特許文献】
【０００４】
【特許文献１】実用新案登録第３１６１９０８号公報
【発明の概要】
【発明が解決しようとする課題】
【０００５】
導光板を用いた照明装置は、高さ方向の薄形化が比較的容易であるが、アダプタを含む器具本体の前面側の略全体を平板状の導光板で覆っている場合、アダプタと導光板とが高さ方向に重なるため、高さ方向の十分な薄形化ができない問題がある。
【０００６】
本発明が解決しようとする課題は、薄形化できる照明装置を提供することである。
【課題を解決するための手段】
【０００７】
実施形態の照明装置は、器具本体、導光板および発光素子を備える。器具本体は、アダプタによって引掛シーリングボディに取り付けられる。導光板は、器具本体の前面側に配置され、少なくともアダプタに対向する領域の厚みが他の領域より薄く形成されている。発光素子は、導光板に光を入射する。
【発明の効果】
【０００８】
本発明によれば、少なくともアダプタに対向する導光板の領域の厚みを導光板の他の領域より薄く形成するため、照明装置を薄形化することが期待できる。
【図面の簡単な説明】
【０００９】
【図１】第１の実施形態を示す照明装置の断面図である。
【図２】同上照明装置の導光板の断面図である。
【図３】同上照明装置の拡大断面図である。
【図４】第２の実施形態を示す照明装置の概略側面図である。
【図５】同上照明装置の配光特性を示すグラフである。
【図６】第３の実施形態を示す照明装置の基板の概略正面図である。
【図７】第４の実施形態を示す照明装置の概略側面図である。
【図８】第５の実施形態を示す照明装置の概略側面図である。
【図９】第６の実施形態を示す照明装置の概略側面図である。
【発明を実施するための形態】
【００１０】
以下、第１の実施形態を、図１ないし図３を参照して説明する。
【００１１】
図１に示すように、照明装置10は、外形が四角形状の天井直付形照明器具であり、天井面（天井板）11に設置された配線器具である引掛シーリングボディ12にアダプタ13を介して取り付けられる。
【００１２】
照明装置10は、器具本体14、この器具本体14の前面である下面に取り付けられた発光ユニット15、および器具本体14内に配設された点灯ユニット16を備えている。
【００１３】
そして、器具本体14は、外形が四角形状で下面側が開口されている。器具本体14の中央にはアダプタ13が挿通可能な開口部19が形成され、器具本体14の下面で開口部19の周囲にはアダプタ13に装着されるアダプタガイド20が取り付けられている。器具本体14の上面には天井面11との間に介在されるスポンジなどの緩衝材21が取り付けられている。器具本体14の対向する２辺には発光ユニット15を支持するための引掛金具22および係止金具23がそれぞれ取り付けられている。
【００１４】
また、図１および図３に示すように、発光ユニット15は、内側が開口された四角形枠状の枠体26、この枠体26の内側の開口を覆って枠体26に配置された導光板27、この導光板27の背面側である上面側を覆って導光板27を枠体26との間に挟み込んで保持する反射板28、および導光板27に光を入射する発光モジュール29を備えている。
【００１５】
枠体26の一辺には器具本体14の引掛金具22に引っ掛けられる引掛部材30が取り付けられている。枠体26は、引掛金具22に引掛部材30が引っ掛けられた状態で、器具本体14から垂下した開放位置と器具本体14の下面側に係合する閉塞位置との間で回動可能としている。枠体26の一辺に対向するもう一辺には枠体26の閉塞位置で器具本体14の係止金具23に着脱可能に係止される係止部材31が回動可能に取り付けられている。
【００１６】
図１ないし図３に示すように、導光板27は、例えばアクリル樹脂などの光透過率の高い材料によって四角形板状に形成され、前面である下面27aは平面状に形成され、背面である上面27bには少なくともアダプタ13に対向する中央の領域に窪み部32が形成されている。窪み部32は、四角形状、多角形状あるいは円形で、中央の領域には導光板27の下面27aと平行な平面部33が形成され、平面部33の周辺には平面部33から導光板27の周辺部に連続する傾斜面34が形成されている。また、導光板27の互いに対向する２辺の端面に、発光モジュール29からの光が入射する入射面35が形成されている。したがって、導光板27は、少なくともアダプタ13に対向する中央の領域（実施形態ではアダプタ13から点灯ユニット16に亘る領域）が、他の領域である周辺部の領域よりも薄く形成されており、さらに、入射面35の部分の厚みが最も厚く形成されている。導光板27の厚みの一例としては、厚みが最も厚い入射面35の部分を含む周辺の領域の厚みt1で５〜６ｍｍ、厚みが最も薄い中央の領域の厚みt2で２〜３ｍｍである。
【００１７】
図１および図３に示すように、反射板28は、導光板27の上面27bの形状に沿った形状に形成されていて導光板27の上面27bに沿って配置される反射面部36を有し、この反射面部36の周辺部が枠体26にねじ止め固定されている。そして、枠体26と反射板28との間で導光板27を挟み込んで保持している。
【００１８】
発光モジュール29は、半導体発光素子である複数の発光素子37、および複数の発光素子37が１列または複数列に実装された基板38を有している。発光素子37には、例えば、面実装タイプのＳＭＤパッケージ式のＬＥＤ素子が用いられている。なお、発光素子37としては、発光色が同色のものを用いてもよいし、発光色が異なるものや発光色を変化させることが可能なものを用いてもよく、あるいは、例えばＥＬ素子などの他の発光素子を用いてもよい。また、基板38は、導光板27の入射面35に対応して細長く形成され、その長手方向に沿って複数の発光素子37が１列または複数列配列されている。また、基板38には、点灯ユニット16と接続するためのコネクタ39を有する接続コード40が接続されている。
【００１９】
発光モジュール29はホルダ41によって保持されている。このホルダ41には、導光板27の端部を上下から挟み込んで取り付けられる取付部42が形成されている。そして、発光モジュール29の端部にホルダ41を取り付けた状態で、ホルダ41に保持されている発光モジュール29の複数の発光素子37が導光板27の入射面35に対向配置されている。
【００２０】
また、点灯ユニット16は、点灯回路を構成する複数の電子部品45および複数の電子部品45を実装した回路基板46を有している。回路基板46は、アダプタガイド20の周囲で器具本体14の下面に取り付けられている。点灯回路は、商用交流電力を所定の電力に変換して発光モジュール29に出力する。点灯回路の電源入力部はコネクタ47を備え、このコネクタ47にアダプタ13から引き出されている電源コード48のコネクタ49が接続される。点灯回路の負荷出力部はコネクタ50を有する給電コード51を備え、この給電コード51のコネクタ50が接続コード40のコネクタ39と接続されている。
【００２１】
そして、照明装置10の点灯時には、点灯する複数の発光素子37からの光が、入射面35から導光板27内に入射し、導光板27内を反射しながら導光板27の全体に導光されるとともに、反射板28に対して反対側となる導光板27の下面27aから出射して照明空間に照射される。したがって、枠体26の内側の開口から露出する導光板27の下面27aの全体が均一な明るさで発光する。
【００２２】
この照明装置10では、少なくともアダプタ13に対向する導光板27の領域の厚みが導光板27の他の領域より薄く形成されているため、薄く形成しない場合に比べて、アダプタ13と導光板27との距離を一定としたまま、導光板27の下面27aの位置を器具本体14側に近付けることができ、その結果、照明装置10を薄形化できる。
【００２３】
また、導光板27の全体を薄くした場合には、導光板27の入射面35の幅が小さくなって、発光素子37からの光を導光板27の入射面35に効率よく入射させることができなくなるが、少なくともアダプタ13に対向する導光板27の領域の厚みのみ薄くし、導光板27の入射面35の部分の厚みを最も厚くしているため、発光素子37からの光を導光板27の入射面35に効率よく入射させることができ、効率が低下するのを防止できる。
【００２４】
さらに、導光板27の中央の領域のみ薄くし、周辺部の厚みを厚くしているため、導光板27の機械的な強度も確保できる。
【００２５】
また、アダプタ13に対向する導光板27の上面27bに窪み部32を形成し、この窪み部32の周辺部を傾斜面34に形成しているため、入射面35から入射して傾斜面34に到達する光が導光板27の下面27aから出射されやすくでき、光取出効率を向上できる。
【００２６】
なお、導光板27は、必ずしも傾斜面34を備えている必要はなく、傾斜面34に代えて入射面35に平行な垂直面であっても構わない。
【００２７】
また、前記実施形態では、導光板27の上面27b側に反射板28が配置されているが、反射板28に代えて、導光板27の上面27bに反射シートや反射膜を設けてもよい。
【００２８】
次に、図４および図５に第２の実施形態を示す。なお、第１の実施形態と同じ構成については同じ符号を用い、同じ構成および作用効果についての説明を省略する。また、図４は照明装置10を省略化および簡略化した概略側面図であり、導光板27の窪み部32なども省略している。
【００２９】
図４に示すように、発光モジュール29の基板38に透明材料が用いられる。導光板27の一端側に配置される発光モジュール29の発光素子37からの光が、一端の入射面35から導光板27内に入射するとともに他端の入射面35から出射し、導光板27の他端側に配置される発光モジュール29の透明な基板38を透過して側方へ照射することができる。
【００３０】
図５は配光特性を示すグラフであり、横軸は、照明装置10の直下方向を０°とする配光の角度、縦軸は光度である。透明な基板38の場合の配光曲線ａは、透明でない基板の場合の配光曲線ｂに比べて配光を広くすることができる。
【００３１】
このように、照明装置10の側方に光を照射することができ、照明装置10が設置される天井面11も明るくできる。
【００３２】
次に、図６に第３の実施形態を示す。なお、各実施形態と同じ構成については同じ符号を用い、同じ構成および作用効果についての説明を省略する。また、図６は照明装置10の基板38を省略化および簡略化した概略正面図である。
【００３３】
発光モジュール29の基板38に光透過性を備えない一般的なものを用いる場合、この基板38に孔部や切欠部などの光通過部54を設け、基板38を光が通過するように構成する。
【００３４】
この場合にも、第２の実施形態と同様に、照明装置10の側方に光を照射することができ、照明装置10が設置される天井面11も明るくできる。
【００３５】
次に、図７に第４の実施形態を示す。なお、各実施形態と同じ構成については同じ符号を用い、同じ構成および作用効果についての説明を省略する。また、図７は照明装置10を省略化および簡略化した概略側面図であり、導光板27の窪み部32なども省略している。
【００３６】
発光モジュール29の基板38に光透過性を備えない一般的なものを用いる場合、この基板38の幅を導光板27の入射面35の部分の厚みより狭くし、この基板38を透明な支持部56に取り付ける。これにより、導光板27の入射面35から出射した光の一部が基板38の側部を通過するとともに透明な支持部56を通過するように構成する。
【００３７】
この場合にも、第２の実施形態と同様に、照明装置10の側方に光を照射することができ、照明装置10が設置される天井面11も明るくできる。
【００３８】
次に、図８に第５の実施形態を示す。なお、各実施形態と同じ構成については同じ符号を用い、同じ構成および作用効果についての説明を省略する。また、図８は照明装置10を省略化および簡略化した概略側面図であり、導光板27の窪み部32なども省略している。
【００３９】
第２の実施形態と同様に透明な基板38を用いた場合であり、さらに、基板38を透過した光の配光を制御するレンズやプリズムなどの光学部材59を備えている。光学部材59により、照明装置10の側方へ照射される光の配光を任意に設定することができる。
【００４０】
次に、図９に第６の実施形態を示す。なお、各実施形態と同じ構成については同じ符号を用い、同じ構成および作用効果についての説明を省略する。また、図９は照明装置10を省略化および簡略化した概略側面図であり、導光板27の窪み部32なども省略している。
【００４１】
器具本体14の上面部分の一部に導光板27の上面27bから出射するようにした光が透過する透過部62を設ける。透過部62は、引掛シーリングボディ12、アダプタ13、アダプタガイド20および緩衝材21などよりも器具本体14の周辺領域に設けられており、照明装置10の設置状態で天井面11と器具本体14との間に生じる隙間に対向されている。透過部62は塵や虫などの器具内への侵入を防止のために透明部材63で閉塞されている。
【００４２】
そして、照明装置10の点灯時に、導光板27から出射された光が透過部62を透過して天井面11に照射されるため、間接光として天井面11を明るくすることができる。
【００４３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４４】
10    照明装置
12    引掛シーリングボディ
13    アダプタ
14    器具本体
27    導光板
32    窪み部
34    傾斜面
35    入射面
37    発光素子
【図１】
2014216292.tif 000003
【図２】
2014216292.tif 000004
【図３】
2014216292.tif 000005
【図４】
2014216292.tif 000006
【図５】
2014216292.tif 000007
【図６】
2014216292.tif 000008
【図７】
2014216292.tif 000009
【図８】
2014216292.tif 000010
【図９】
2014216292.tif 000011